【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
（ｉ）高吸収性ポリマー約５０質量％〜約８８質量％、この場合、これらの高吸収性ポリマーは、約０．００１質量％〜約５質量％の表面架橋剤を含有し；
（ｉｉ）粘土約１２質量％〜約３５質量％、この場合、粘土は、高吸収性粒子の表面付近において存在し；かつ、
（ｉｉｉ）無機網目形成体０〜約２５質量％
を含有する表面架橋された高吸収性粒子において、
前記粒子が、
（ａ）内部架橋モノマーの存在下で、高吸収性ポリマーを提供する能力を有する１種またはそれ以上のモノマーを重合することによって、高吸収性ポリマーヒドロゲルを形成し；
（ｂ）高吸収性ポリマーヒドロゲルを粉砕することによって、高吸収性ポリマーヒドロゲル粒子を形成し；
（ｃ）工程（ｂ）の高吸収性ポリマーヒドロゲル粒子を乾燥させることによって、乾燥した高吸収性粒子を提供し；
（ｄ）表面架橋剤および粘土を含む混合物を、工程（ｃ）の高吸収性粒子の表面に適用することによって、表面処理された高吸収性ポリマー粒子を提供し；かつ
（ｅ）その後に、表面処理された高吸収性ポリマー粒子を、十分な時間に亘って十分な温度で加熱することによって、表面処理された高吸収性ポリマー粒子を表面架橋し、かつ表面架橋された高吸収性粒子の表面付近において粘土を配置する、
工程を含む方法によって製造されることを特徴とする、表面架橋された高吸収性粒子。
【請求項２】
高吸収性ポリマーが、約５５質量％〜約８５質量％の量で存在し、かつ粘土が約１５質量％〜約２５質量％の量で存在する、請求項１に記載の粒子。
【請求項３】
無機網目形成体が、約５質量％〜約２０質量％の量で存在する、請求項１または２に記載の粒子。
【請求項４】
無機網目形成体が、ケイ酸塩、アルミン酸塩、およびアルミノケイ酸塩から成る群から選択される、請求項１から３までのいずれか１項に記載の粒子。
【請求項５】
無機網目形成体が、ケイ酸ナトリウム、アルミン酸ナトリウムまたはこれらの混合物を含む、請求項１から４までのいずれか１項に記載の粒子。
【請求項６】
５質量％を下廻る粒子が、２００μＭまたはそれを下廻る直径を有する、請求項１から５までのいずれか１項に記載の粒子。
【請求項７】
高吸収性ポリマーが、重合されたα，β−不飽和カルボン酸またはこれらの塩または無水物を含有する、請求項１から６までのいずれか１項に記載の粒子。
【請求項８】
モノマーが、アクリル酸、メタクリル酸、エタクリル酸、α−クロロアクリル酸、α−シアノアクリル酸、β−メチルアクリル酸、α−フェニルアクリル酸、β−アクリルオキシプロピオン酸、ソルビン酸、α−クロロソルビン酸、アンゲリカ酸、ケイ皮酸、ｐ−クロロケイ皮酸、β−ステアリルアクリル酸、イタコン酸、シトラコン酸、メサコン酸、グルタコン酸、アコニット酸、マレイン酸、フマル酸、トリカルボキシエチレン、無水マレイン酸、ビニルスルホン酸、アリルスルホン酸、ビニルトルエンスルホン酸、スチレンスルホン酸、スルホエチルアクリレート、スルホエチルメタクリレート、スルホプロピルアクリレート、スルホプロピルメタクリレート、スルホプロピルアクリレート、スルホプロピルメタクリレート、２−ヒドロキシ−３−メタクリルオキシプロピルスルホン酸、２−アクリルアミド−２−メチルプロパンスルホン酸、メタクリルオキシエチルホスフェートおよびこれらの混合物から成る群から選択される、請求項１から６までのいずれか１項に記載の粒子。
【請求項９】
高吸収性ポリマーが、ポリ（アクリル酸）、加水分解デンプンアクリロニトリルグラフトコポリマー、デンプン−アクリル酸グラフトコポリマー、鹸化ビニルアセテート−アクリル酸エステルコポリマー、加水分解アクリロニトリルコポリマー、加水分解アクリルアミドコポリマー、エチレン−マレイン酸無水物コポリマー、イソブチレン−マレイン酸無水物コポリマー、ポリ（ビニルスルホン酸）、ポリ（ビニルホスホン酸）、ポリ（ビニルリン酸）、ポリ（ビニル硫酸）、スルホン化ポリスチレンおよびこれらの塩およびこれらの混合物から成る群から選択される、請求項１から６までのいずれか１項に記載の粒子。
【請求項１０】
高吸収性ポリマーが、ポリ（ビニルアミン）、ポリ（ジアルキルアミノアルキル（メト）アクリルアミド）、ポリエチレンイミン、ポリ（アリルアミン）、ポリ（アリルグアニジン）、ポリ（ジ−メチルジアリルアンモニウム水酸化物）、四級化ポリスチレン誘導体、グアニジン−変性ポリスチレン、四級化ポリ（（メト）アクリルアミド）またはエステル類似体、ポリ（ビニルグアニジン）およびこれらの塩およびこれらの混合物から成る群から選択される、請求項１から６までのいずれか１項に記載の粒子。
【請求項１１】
高吸収性ポリマーが、約２５〜１００％中和されたポリアクリル酸を含有する、請求項１から６までのいずれか１項に記載の粒子。
【請求項１２】
粘土が、モンモリロナイト、サポナイト、ノントロナイト、ラポナイト、バイデライト、ヘクトライト、ソウコナイト、ステベンザイト、バーミキュライト、ボルコンスコイト、マガダイト、メドモンタイト、ケニヤイトおよびこれらの混合物から成る群から選択された膨潤粘土である、請求項１から１１までのいずれか１項に記載の粒子。
【請求項１３】
粘土が、カオリン鉱物、蛇紋岩鉱物、マイカ鉱物、クロライト鉱物、セポライト、パリゴルスカイト、ボーキサイトおよびこれらの混合物から成る群から選択された、非膨潤性粘土である、請求項１から１１までのいずれか１項に記載の粒子。
【請求項１４】
非膨潤性粘土がカオリナイトである、請求項１３に記載の粒子。
【請求項１５】
粘土が、有機成分および無機成分を有する有機親和性粘土である、請求項１から１１までのいずれか１項に記載の粒子。
【請求項１６】
有機親和性粘土の無機成分が、スメクタイト、ベントナイト、ヘクトライト、モンモリロナイト、バイデライト、サポナイト、ステベンザイト、ノントロナイト、イライト、アタパルガイト、ゼオライト、フラー土およびこれらの混合物を含む、請求項１５に記載の粒子。
【請求項１７】
有機親和性粘土の無機成分が、モンモリロナイトを含む、請求項１５または１６に記載の粒子。
【請求項１８】
有機親和性粘土の有機成分が、
【化１】
2005536599.tif 000001
［式中、Ｒ１は少なくとも２０個の炭素原子を有するアルキル基であり、Ｒ２は水素、ベンジルまたは少なくとも１０個の炭素原子を有するアルキル基であり、かつＲ３およびＲ４は独立して、低級アルキル基である］；
【化２】
2005536599.tif 000002
［式中、Ｒ５はＣＨ３またはＣ６Ｈ５ＣＨ２であり、Ｒ６はＣ６Ｈ５ＣＨ２であり、かつＲ７およびＲ８は独立して、１４〜２２個の炭素原子を有する長鎖アルキル基を含むアルキル基である］；またはこれらの混合物を含む、請求項１５から１７までのいずれか１項に記載の粒子。
【請求項１９】
有機親和性粘土が、ジメチルベンジル（水素添加獣脂）アンモニウムベントナイト、メチルベンジルジ（水素添加獣脂）アンモニウムベントナイト、ジメチルジ（水素添加獣脂）アンモニウムベントナイト、メチルビス（２−ヒドロキシエチル）オクタデシルアンモニウムベントナイト、３〜８個の炭素原子を含有するアミンで処理されたベントナイト粘土およびこれらの混合物から成る群から選択される、請求項１５から１８までのいずれか１項に記載の粒子。
【請求項２０】
媒体と、請求項１から１９までのいずれか１項に記載の高吸収性粒子とを接触させることを含む、水性媒体を吸収する方法。
【請求項２１】
水性媒体が電解質を含有する、請求項２０に記載の方法。
【請求項２２】
電解質含有水性媒体が、尿、塩溶液、月経および血液からなる群から選択される、請求項２１に記載の方法。
【請求項２３】
請求項１から１９のいずれか１項に記載の高吸収性粒子を含む、吸収性製品。
【請求項２４】
製品がおむつまたは生理用品である、請求項２３に記載の製品。
【請求項２５】
請求項１から１９のいずれか１項に記載の高吸収性ポリマーを少なくとも１０質量％含有する芯を有するおむつ。
【請求項２６】
さらに芯の第１表面と接触するトップシートおよび芯の第２表面と接触するバックシートとを含有し、その際、芯の第２表面は第１表面とは反対側に位置する、請求項２５に記載のおむつ。
【請求項２７】
さらにトップシートと芯との間に配置された捕捉層を有する、請求項２６に記載のおむつ。
【請求項２８】
吸水性樹脂および粒子表面付近に分布する約１２質量％〜約３５質量％の粘土を有する、表面架橋された高吸収性ポリマー粒子を製造するための方法において、
（ａ）（ｉ）高吸収性ポリマーを形成する能力を有する少なくとも１種のモノマー、（ｉｉ）内部架橋剤および（ｉｉｉ）重合触媒を含有する水性モノマー混合物を形成し；
（ｂ）水性混合物中でモノマーを重合することによって、高吸収性ポリマーヒドロゲルを形成し；
（ｃ）高吸収性ポリマーヒドロゲルを粉砕することによって、高吸収性ポリマーヒドロゲル粒子を提供し；
（ｄ）高吸収性ポリマーヒドロゲル粒子を、十分な時間で、十分な温度で乾燥させることによって、乾燥した高吸収性ポリマー粒子を提供し；
（ｅ）粘土および表面架橋剤の混合物を、乾燥した高吸収性ポリマー粒子の表面に適用することによって、表面処理された高吸収性ポリマー粒子を提供し；かつ、
（ｆ）表面処理された高吸収性ポリマー粒子を、十分な時間で、十分な温度で加熱することによって、表面処理された高吸収性ポリマー粒子を表面架橋し、かつ粒子表面付近に粘土を配置させる工程を含むことを特徴とする、表面架橋された高吸収性ポリマー粒子を製造するための方法。
【請求項２９】
高吸収性ポリマーを形成する能力を有するモノマーが、アクリル酸、メタクリル酸、エタクリル酸、α−クロロアクリル酸、α−シアノアクリル酸、β−メチルアクリル酸、α−フェニルアクリル酸、β−アクリルオキシプロピオン酸、ソルビン酸、α−クロロソルビン酸、アンゲリカ酸、ケイ皮酸、ｐ−クロロケイ皮酸、β−ステアリルアクリル酸、イタコン酸、シトラコン酸、メサコン酸、グルタコン酸、アコニット酸、マレイン酸、フマル酸、トリカルボキシエチレン、マレイン酸無水物、ビニルスルホン酸、アリルスルホン酸、ビニルトルエンスルホン酸、スチレンスルホン酸、スルホエチルアクリレート、スルホエチルメタクリレート、スルホプロピルアクリレート、スルホプロピルメタクリレート、スルホプロピルアクリレート、スルホプロピルメタクリレート、２−ヒドロキシ−３−メタクリルオキシプロピルスルホン酸、２−アクリルアミド−２−メチルプロパンスルホン酸、メタクリルオキシエチルホスフェートおよびこれらの混合物から成る群から選択される、請求項２８に記載の方法。
【請求項３０】
高吸収性ポリマーが、ポリ（アクリル酸）、加水分解デンプンアクリロニトリルグラフトコポリマー、デンプン−アクリル酸グラフトコポリマー、鹸化ビニルアセテート−アクリル酸エステルコポリマー、加水分解アクリロニトリルコポリマー、加水分解アクリルアミドコポリマー、エチレンマレイン酸無水物コポリマー、イソブチレン−マレイン酸無水物コポリマー、ポリ（ビニルスルホン酸）、ポリ（ビニルホスホン酸）、ポリ（ビニルリン酸）、ポリ（ビニル硫酸）、スルホン化ポリスチレン、ポリ（ビニルアミン）、ポリ（ジアルキルアミノアルキル（メト）アクリルアミド）、軽度に架橋されたポリエチレンイミン、ポリ（アリルアミン）、ポリ（アリルグアニジン）、ポリ（ジメチルジアリルアンモニウム水酸化物）、四級化ポリスチレン誘導体、グアニジン−変性ポリスチレン、四級化ポリ（（メト）アクリルアミド）またはこれらのエステル類似体およびこれらの混合物から成る群から選択される、請求項２８に記載の方法。